(57)【要約】【課題】  本発明は、簡単な構成により、輝度ムラを低減し、奥行きを小さくすると共に、ちぢみ印刷を効果的にバック照明するようにしたバック照明装置を提供することを目的とする。【解決手段】  バック照明すべき透過型装飾パネル１１の後方に配置され、透過型装飾パネルの背面から照明光を照射する面照明光源ユニット１２から成るバック照明装置１０であって、上記面照明光源ユニット１２が、上記透過型装飾パネルの表示面より小さい照射面を備えていて、上記面照明光源ユニットが、上記透過型装飾パネルの背面から所定の間隔ｄをあけて配置されるように、バック照明装置１０を構成する。【選択図】  図１
2011134455.tif 000002
【特許請求の範囲】
【請求項１】
バック照明すべき透過型装飾パネルの後方に配置され、透過型装飾パネルの背面から照明光を照射する面照明光源ユニットから成るバック照明装置であって、
上記面照明光源ユニットが、上記透過型装飾パネルの表示面より小さい照射面を備えていて、
上記面照明光源ユニットが、上記透過型装飾パネルの背面から所定の間隔をあけて配置されている
ことを特徴とする、バック照明装置。
【請求項２】
上記面照明光源ユニットが、上記透過型装飾パネルの背面から数ｍｍ〜２０ｍｍ程度の間隔をあけて配置されていることを特徴とする、請求項１に記載のバック照明装置。
【請求項３】
上記面照明光源ユニットが、透光性材料から成る偏平な導光板と、上記導光板の少なくとも一つの側縁に対向して一方向に整列して配置された複数個のＬＥＤから成るＬＥＤバー光源と、から構成されていることを特徴とする、請求項１または２に記載のバック照明装置。
【請求項４】
上記ＬＥＤバー光源が、上記導光板の表面に関して、バック照明すべき透過型装飾パネルの観察方向と逆方向から上記導光板に光を出射することを特徴とする、請求項１から３の何れかに記載のバック照明装置。
【請求項５】
上記ＬＥＤバー光源の各ＬＥＤが、複数の互いに異なる発光色のＬＥＤを含んでいることを特徴とする、請求項１から４の何れかに記載のバック照明装置。
【発明の詳細な説明】
【技術分野】
【０００１】
本発明は、バック照明装置に関し、特に遊技機等の透過型装飾パネルのためのバック照明装置に関するものである。
【背景技術】
【０００２】
従来、遊技機等で使用される透過型装飾パネル(以下、パネルという)は、一般的に後方からバック照明装置により光を照射して照明される。
このようなバック照明装置は、図１０及び図１１に示すように構成されている。
図１０及び図１１において、バック照明装置１は、例えば蛍光灯，ＣＦＬ等の線状光源２と、この線状光源２を後方及び上下左右から包囲するケース３と、から構成されている。
このような構成のバック照明装置１によれば、図１１に示すように、線状光源２から出射した光が、実線矢印で示すように、直接にパネル４の後面に当たり、あるいは点線矢印で示すように、ケース３の内面で反射して間接的にパネル４の後面に当たることにより、パネル４をバック照明する。
【０００３】
これに対して、線状光源２の代わりに、光源としてＬＥＤ実装基板やＬＥＤアレイから成るＬＥＤバー光源を利用したバック照明装置の場合には、図１２及び図１３に示すように、バック照明装置５は、ＬＥＤバー光源６と、場合によっては図１２（Ｂ）に示すように、ＬＥＤバー光源６の前方に配置された光拡散レンズ７と、ケース３と、から構成されている。
このような構成のバック照明装置５によれば、ＬＥＤバー光源６から出射した光は、直接にまたは光拡散レンズ７により拡散された後、あるいはケース３の内面で反射して間接的に、パネル４の後面に当たることにより、パネル４をバック照明する。
【０００４】
このようなバック照明光源１，５によりバック照明されるパネル４としては、一層以上の印刷や転写が施され、あるいは絵柄等を備えたフィルムから成る表示部材が、透明樹脂材料等から形成された透明パネル板の裏面に配置され、このような構成の二枚の透明パネル板の間に配置されることにより、構成されている。
尚、二枚の透明パネル板の間に表示部材が配置される場合、接着等により固定配置され、表示部材が交換できない構成と、単に表示部材が二枚の透明パネル板の間に挟持され、交換可能な構成がある。
【０００５】
また、特許文献１には、表示画面（パネル）の背面に対向する反射板と、表示画面の下端部に直交する面上で表示画面と反射板との間に配置されたＬＥＤ基板と、ＬＥＤ基板上に複数配置されたＬＥＤと、を備え、反射板が反射表面に光を乱反射させる不規則な凹凸を有するバックライトユニットが開示されている。
このような構成のバックライトユニットによれば、ＬＥＤ基板上の各ＬＥＤから出射した光が、表示画面と反射板の間を上方に進んで、反射板の表面に形成された不規則な凹凸によって乱反射した後、表示画面の後面に当たる。これにより、反射板の不規則な凹凸で乱反射した光が十分に拡散されて表示画面の後面に当たるので、表示画面はＬＥＤからの光によってムラなく均一にバック照明される。
【０００６】
さらに、特許文献２には、外側パネル，図柄が印刷された透明シート及び内側パネルを積層した複合パネルを、外側パネルが前面に露出するように、筐体の前面に設けた前扉に設置した遊技機において、透明シートの印刷された領域内に、所定の形状をした光透過性図柄を形成すると共に、内側パネルに、光透過性図柄の形状に対応する後ろ向き中空凸部を形成し、この後ろ向き中空凸部の内面及び／または外面に、内側パネルの後方に配置される光源の光を後ろ向き中空凸部内で拡散させる光拡散部を設けた遊技機が開示されている。
このような構成の遊技機によれば、透明シートを交換することによって、容易に図柄による表示内容を変更することが可能である。また、光拡散部が透明シートから離隔した内側パネルの中空凸部に設けられているので、光源から出射して光拡散部により拡散した光が、透明シートに達するまでに十分に拡散するので、透明シートの表示内容が十分に拡散したムラのない照明光によって均一にバック照明される。
【先行技術文献】
【特許文献】
【０００７】
【特許文献１】特開２００６−２６７２４５号公報
【特許文献２】特開２００９−２３３０３１号公報
【発明の概要】
【発明が解決しようとする課題】
【０００８】
ところで、図１０及び図１１に示したバック照明装置１においては、線状光源２からパネル４に対してほぼ垂直に光が入射する部分の輝度が高く、パネル４の中央付近で、水平方向のライン状に明るくなってしまう。
また、この垂直に光が入射する部分から離れるに従って輝度が低下するため、図１０及び図１１のバック照明装置１においては、パネル４の上下の端部付近では暗くなってしまう。
このようにして、パネル４の全面を均一にバック照明することは困難であり、パネル４のデザインが制約され、あるいは輝度ムラによる見栄えが悪いために、表示品位が低下してしまう。
さらに、近年の環境保護及び安全性の観点から、水銀を使用する蛍光灯やＣＦＬの使用は、大容量の高周波点灯回路が必要であることもあって、好ましくない。
【０００９】
図１２及び図１３に示したバック照明装置５においては、個々のＬＥＤからパネル４に垂直に入射する部分における所謂点光りを防止するために光拡散レンズ７を設けているが、光拡散レンズ７は、拡散機能を発揮するためにレンズカットを設けたり、あるいは所定の曲率半径を付与する必要があり、コストが高くなってしまう。
さらに、パネル４のＬＥＤバー光源６から垂直に光が入射する部分の輝度が高く、この部分から離れるに従って輝度が低下するため、同様に輝度ムラが発生してしまう。
また、光拡散レンズ７の設置スペースが必要になるため、バック照明装置５の奥行きが大きくなってしまう。
【００１０】
また、これらのバック照明装置１，５においては、パネル４の正面から観察した場合、光源が目線と同じ高さに位置すると、真裏からパネル４の背面に照明光が当たるため、パネル４に例えば縮み印刷が施されている場合、縮み印刷の凹凸形状の影が殆ど生じない。このため、縮み印刷効果が得られなくなってしまう。
【００１１】
これに対して、特許文献１によるバックライトユニットにおいては、表示画面と反射板の間で下方にＬＥＤを配置しているため、バックライトユニットの奥行きが大きくなってしまう。
また、表示画面の背面に入射する光は、反射板の表面の凹凸による乱反射に依存しているため、表示画面の輝度をあまり高くすることができない。
【００１２】
また、特許文献２による遊技機においては、内側パネルが後ろ向き中空凸部の領域で背面側に大きく突出していると共に、その後方に離隔して光源が配置されている。このため、後ろ向き中空凸部を含む内側パネル及び光源の設置スペースが必要となり、これら内側パネル及び光源の奥行きが大きくなってしまう。
【００１３】
本発明は、以上の点から、簡単な構成により、輝度ムラを低減し、奥行きを小さくすると共に、ちぢみ印刷を効果的にバック照明するようにしたバック照明装置を提供することを目的としている。
【課題を解決するための手段】
【００１４】
上記目的は、本発明によれば、バック照明すべき透過型装飾パネルの後方に配置され、透過型装飾パネルの背面から照明光を照射する面照明光源ユニットから成るバック照明装置であって、上記面照明光源ユニットが、上記透過型装飾パネルの表示面より小さい照射面を備えていて、上記面照明光源ユニットが、上記透過型装飾パネルの背面から所定の間隔をあけて配置されていることを特徴とする、バック照明装置により、達成される。
【００１５】
本発明の第二の態様によるバック照明装置は、前記第一の態様によるバック照明装置において、上記面照明光源ユニットが、上記透過型装飾パネルの背面から数ｍｍ〜２０ｍｍ程度の間隔をあけて配置されていることを特徴とする。
【００１６】
この第一及び第二の態様では、バック照明すべき透過型装飾パネルの背面に対して、所定の間隔、好ましくは数ｍｍから２０ｍｍ程度の間隔をあけて面照明光源ユニットが配置されているので、面照明光源ユニットの表面から出射した照明光は、この間隔を進む間に拡散し、あるいは内乱光となって、透過型装飾パネルの裏面に達する。従って、透過型装飾パネルは、バック照明装置の面照明光源ユニットから出射する照明光によって、より均一にバック照明される。これにより、透過型装飾パネルのバック照明の輝度ムラが低減さ  れ、その表示品質が向上する。
【００１７】
また、面照明光源ユニットが透過型装飾パネルの背面から隔置されることにより、面照明光源ユニットの透過型装飾パネルに対する位置精度を低くすることが可能となる。このため、面照明光源ユニットの構成部品の製造コスト，検査コストが大幅に削減され得るので、バック照明装置が低コストで製造され得る。
さらに、面照明光源ユニットが透過型装飾パネルの背面から隔置されることにより、面照明光源の光照射面を、透過型装飾パネルの表示面より小さく構成することが可能となり、面照明光源ユニットが小型で済み、製造コストが低減され得る。
【００１８】
バック照明の光源が面照明光源ユニットであることから、奥行きが大幅に低減され、透過型装飾パネルとバック照明装置から成るパネル装置全体を薄型に構成することができる。
【００１９】
本発明の第三の態様によるバック照明装置は、前記第一または第二の態様によるバック照明装置において、上記面照明光源ユニットが、透光性材料から成る偏平な導光板と、上記導光板の少なくとも一つの側縁に対向して一方向に整列して配置された複数個のＬＥＤから成るＬＥＤバー光源と、から構成されていることを特徴とする。
この第三の態様では、光源としてＬＥＤを使用することにより、面照明光源ユニットが薄型に構成されると共に、駆動回路が小型で済み、寿命を長くなるので、環境負荷が低減される。
また、光源としてＬＥＤを使用することにより、従来の蛍光灯やＣＦＬ等のように水銀を使用しないので、安全性が確保され得る。
さらに、導光板に傷，ゴミ等があっても、バック照明すべき透過型装飾パネルの裏面と間隔があいているので、これらの傷，ゴミ等は見えなくなるため、部品コスト及び組立コストが低減され得る。
尚、ＬＥＤバー光源の各ＬＥＤの発光色に多少のばらつきがあったとしても、各ＬＥＤから出射した光が透過型装飾パネルの背面に達するまでに十分に混色されるので、低価格のＬＥＤを使用することが可能となり、バック照明装置の部品コストが低減され得る。
【００２０】
本発明の第四の態様によるバック照明装置は、前記第一から第三の何れかの態様によるバック照明装置において、上記ＬＥＤバー光源が、上記導光板の表面に関して、バック照明すべき透過型装飾パネルの観察方向と逆方向から上記導光板に光を出射することを特徴とする。
この第四の態様では、例えば透過型装飾パネルに所謂ちぢみ印刷が施されている場合に、ちぢみ印刷の凹凸がＬＥＤバー光源からの照明光によって陰影として良好に観察され得る。したがって、ちぢみ印刷の視覚効果が最大限に発揮され得ることになる。
【００２１】
本発明の第五の態様によるバック照明装置は、前記第一から第四の何れかの態様によるバック照明装置において、上記ＬＥＤバー光源の各ＬＥＤが、複数の互いに異なる発光色のＬＥＤを含んでいることを特徴とする。
この第五の態様では、複数の発光色のＬＥＤが混在している場合であっても、各ＬＥＤからの光が、透過型装飾パネルの裏面に達するまでに互いに混色される。従って、個々のＬＥＤの発光色では表現できない中間色の照明光により透過型装飾パネルを均一にバック照明することができる。
これにより、透過型装飾パネルにおける演色性や発色性そして表示品位やコントラストが向上することになり、透過型装飾パネルの見た目の付加価値が向上する。
【発明の効果】
【００２２】
以上のように、本発明によれば、簡単な構成により、輝度ムラを低減し、奥行きを小さくすると共に、ちぢみ印刷を効果的にバック照明するようにしたバック照明装置が提供され得ることになる。
【図面の簡単な説明】
【００２３】
【図１】本発明によるバック照明装置具の一実施形態の構成を示す概略正面図である。
【図２】図１のバック照明装置の縦断面を示す拡大斜視図である。
【図３】図１のバック照明装置の縦断面図である。
【図４】図１のバック照明装置における面照明光源ユニットの全体構成を示す斜視図である。
【図５】図４の面照明光源を示す拡大縦断面図である。
【図６】図１のバック照明装置を遊技機に組み込んだ使用例を示す概略断面図である。
【図７】図６の遊技機におけるちぢみ印刷を施した透過型装飾パネルとバック照明装置を示す拡大断面図である。
【図８】図７のバック照明装置における光出射方向を説明する拡大断面図である。
【図９】図６の使用例に対する比較例を示す概略断面図である。
【図１０】従来のバック照明装置の一例の構成を示す斜視図である。
【図１１】図１０のバック照明装置の縦断面図である。
【図１２】従来のバック照明装置の他の例の構成を示す（Ａ）斜視図及び（Ｂ）変形例を示す要部の部分斜視図である。
【図１３】図１２のバック照明装置の縦断面図である。
【発明を実施するための形態】
【００２４】
以下、この発明の好適な実施形態を図１〜図９を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００２５】
図１から図３は、本発明によるバック照明装置の一実施形態の構成を示している。
図１から図３において、バック照明装置１０は、バック照明すべき透過型装飾パネル１１の後方に配置される面照明光源ユニット１２と、面照明光源ユニット１２を背面側及び上下左右から覆う不透光性材料から成る筐体１３と、から構成されている。
ここで、透過型装飾パネル（以下、パネルという）１１は、前述した従来のバック照明装置１，５によりバック照明すべきパネル４と同じ構成であり、例えば印刷，転写等による表示部材（図示せず）を備えた透明樹脂材料等から成る透明パネル板から構成されており、詳細な説明は省略する。
【００２６】
上記面照明光源ユニット１２は、偏平に構成されており、その前面が光出射面になっている。
そして、上記面照明光源ユニット１２は、図３に示すように、透過型装飾パネル１１の裏面から所定間隔ｄだけ離隔して配置されている。この間隔ｄは、好ましくは数ｍｍから２０ｍｍ程度の距離に選定される。
この間隔ｄが数ｍｍ未満の場合には、面照明光源ユニット１２の光出射面から出射した光がパネル１１の裏面に達するまでに、光の拡散が十分に行なわれなくなってしまう。
これに対して、間隔ｄが２０ｍｍを超えると、面照明光源ユニット１２の光出射面からパネル１１の裏面までの距離が長くなり過ぎて、パネル１１のバック照明の輝度が低くなり、パネル１１の表示が暗くなってしまう。
【００２７】
さらに、上記面照明光源ユニット１２は、その光出射面の寸法が、透過型装飾パネル１１の表示面よりやや小さく選定されている。
この場合、面照明光源ユニット１２の光出射面から出射した光は、パネル１１の裏面に達するまでに拡散するので、パネル１１の裏面は、全面に亘って面照明光源ユニット１２からの照射光によりバック照明される。
【００２８】
ここで、上記面照明光源ユニット１２は、図４及び図５に示すように構成されている。
即ち、図４及び図５において、面照明光源ユニット１２は、偏平な導光板２１と、この導光板２１の上端面に対向して配置されたＬＥＤバー光源２２と、これらの導光板２１及びＬＥＤバー光源２２を後方及び上下左右から覆うケース２３と、から構成されている。
【００２９】
上記導光板２１は、透明樹脂材料等の透光性材料から平板状に成形されており、その前面が光出射面として構成されている。
尚、導光板２１は、その背面に光を乱反射させる凹凸形状等の任意形状の反射部分を備えていてもよい。
さらに、導光板２１の背面には、図５に示すように、導光板２１の背面から出射した光を反射して導光板２１内に戻すための反射シート２１ａが備えられていてもよい。
また、好ましくは、導光板２１の下端面は、内部からの入射光を前方に向かって全反射させるために、図５に示すように、前方に向かって広がるように傾斜して形成されている。
【００３０】
上記ＬＥＤバー光源２２は、図５に示すように、ケース２３の上端前側に垂直に配置された基板２２ａの裏面に一列に並んで配置されたＬＥＤ２２ｂから構成されている。
これらのＬＥＤ２２ｂは、基板２２ａ上に実装された駆動回路または外部の駆動回路から給電されることによって、それぞれ駆動され、発光する。
尚、図示の場合、ＬＥＤ２２ｂは、所謂サイドビュータイプのＬＥＤであって、基板２２ａの表面に沿って下方に向かって光を出射するように配置されている。
これにより、各ＬＥＤ２２ｂから出射した光は、それぞれ導光板２１の上端面から導光板２１内に入射する。
【００３１】
本発明によるバック照明装置１０は以上のように構成されており、以下のように動作する。
即ち、面照明光源ユニット１２のＬＥＤバー光源２２の各ＬＥＤ２２ｂが駆動回路により駆動され発光する。これにより、各ＬＥＤ２２ｂから出射した光は、導光板２１の上端面から導光板２１内に入射し、導光板２１内で反射を繰り返しながら、導光板２１の下端まで進むと共に、一部が導光板２１の背面から出射して反射シート２１ａで反射した後、導光板２１内に戻り、また他の一部が導光板２１の表面から拡散しながら出射して、パネル１１の背面に達する。
【００３２】
そして、導光板２１の前面即ち光出射面から出射した光は、図２及び図３に実線矢印で示すように、間隔ｄを介してパネル１１の裏面に入射する。
その際、導光板２１の光出射面から拡散しながら光が出射するので、この光出射面より大きいパネル１１の裏面全体に亘って光が照射される。
また、面光源ユニット１２の周縁付近で出射した光の一部は、図２及び図３に点線矢印で示すように、筐体１３の前方に向かって張り出した枠部１３ａの内面で反射して前方に向かって進み、パネル１１の裏面に入射する。
このようにして、パネル１１の裏面全体に対して、面照明光源ユニット１２の光出射面からの光が均一に照射される。従って、パネル１１は、その全面に亘って均一にバック照明されるので、表示品位が向上する。
【００３３】
この場合、面照明光源ユニット１２の表面とパネル１１の裏面との間に間隔ｄが設けられているので、面照明光源ユニット１２の各構成部品２１，２２の位置精度や加工精度を高くする必要はない。従って、導光板２１やＬＥＤバー光源２２の製造コスト及び検査コストが大幅に低減され、バック照明装置１０がコストで製造され得る。
また、面照明光源ユニット１２の光出射面の大きさがパネル１１の背面より小さくてもよいので、面照明光源ユニット１２がより小型に構成され得、コストが低減され得る。
【００３４】
さらに、面照明光源ユニット１２が偏平に構成されていることによって、バック照明装置１０そして、パネル１１を含むパネル装置全体の奥行きが大幅に低減され、全体として薄型に構成され得る。
また、面照明光源ユニット１２のＬＥＤバー光源２２の個々のＬＥＤ２２ｂからパネル１１の裏面までの距離が長いので、各ＬＥＤ２２ｂから出射した光が互いに十分に混合される。従って、低コストで発光色にばらつきのあるＬＥＤ２２ｂを使用したとしても、各ＬＥＤ２２ｂからの光が十分に混色されることになり、色ムラのない均一なバック照明が行なわれる。
【００３５】
図６は、図１から図３のバック照明装置を遊技機に組み込んだ使用例を示している。
図６において、遊技機３０は、公知の構成の遊技機であって、その下方前面に透過型装飾パネル３１を備えている。
この透過型装飾パネル３１は、図７に示すように、その背面に凹凸を有するちぢみ印刷による表示部材３２が設けられている。
そして、この透過型装飾パネル３１の後方に、前述したバック照明装置１０が配置されている。
【００３６】
ここで、表示部材３２を有する透過型装飾パネル３１は、図８に示すように、ＬＥＤ２２ｂの導光板２１への入射方向と表面からの出射光の方向がなす出射角θが９０度より小さい場合、出射光の輝度が高い。
これに対して、出射角θが９０度より大きい場合、出射光は、導光板２１内での乱反射による成分が大部分であるので、その輝度は非常に低い。
これにより、この出射光の出射方向による輝度の差に基づく明暗効果によって、表示部材３２のちぢみ印刷が良好に観察され得ることになる。
【００３７】
このため、輝度の高い出射光がより良好に観察されるように、バック照明装置１０における面照明光源ユニット１２のＬＥＤバー光源２２の光出射方向側を、観察方向に合わせることが有効である。
従って、図６の遊技機３０においては、バック照明装置１０は、遊技機３０の観察方向Ａに対して反対側にＬＥＤバー光源２２が位置するように、上下反転して配置されている。
【００３８】
これに対して、図９に示すように、遊技機３０の観察方向Ａに対して同じ側にＬＥＤバー光源２２が配置されていると、ＬＥＤバー光源２２の各ＬＥＤ２２ｂからの光のうち、導光板２１の表面における出射角θ（この場合、出射角θは、導光板２１の表面に対する角度とする）が小さく輝度の高い光が直接に観察され得ない。このため、ちぢみ印刷の明暗による視覚効果が十分に発揮されず、表示品位が低下してしまう。
【００３９】
このような構成の遊技機３０によれば、バック照明装置１０における面照明光源ユニット１２のＬＥＤバー光源２２の各ＬＥＤ２２ｂが駆動され発光する。これにより、各ＬＥＤ２２ｂから出射した光は、導光板２１の下方の端面から導光板２１内に入射し、その光出射面である前面から出射して、間隙ｄを介して透過型装飾パネル３１に入射する。
その際、透過型装飾パネル３１に施された表示部材３２のちぢみ印刷は、導光板２１の表面で種々の出射角θの光によりバック照明され、その明暗差に基づいて視覚効果が得られる。
ここで、透過型装飾パネル３１に入射する光のうち、出射角θが９０度より小さく光、即ち下方から観察方向Ａとほぼ逆方向に入射する光は、輝度が高く、利用者に直接に視認される。従って、透過型装飾パネル３１に施された表示部材３２のちぢみ印刷は、大きな明暗差でバック照明されることになる。これにより、表示部材３２のちぢみ印刷による視覚効果が十分に発揮されるので、透過型装飾パネル３１の表示品位が向上する。
【産業上の利用可能性】
【００４０】
上述した実施形態においては、バック照明装置１０の面照明光源ユニット１２は、導光板２１の上端面に対向してＬＥＤバー光源２２が配置されているが、これに限らず、導光板２１の下端面，左端面または右端面、あるいは上下両端面または左右両端面等、何れか一つ以上の端面に対向してそれぞれＬＥＤバー光源２２が配置されていてもよい。
【００４１】
また、上述した実施形態においては、筐体１３の周縁に、導光板１２の表面で出射した光をパネル１１に向かって反射する枠部１３ａを備えているが、これに限らず、枠部１３ａは省略されてもよく、また光を反射しないように構成されていてもよい。
さらに、上述した実施形態においては、面照明光源ユニット１２は、導光板２１とＬＥＤバー光源２２とから構成されているが、これに限らず、偏平な構成で、光出射面からほぼ均一な光を出射するものであれば、例えばＥＬ素子等の他の任意の構成の面照明光源ユニットを使用することができる。
【００４２】
また、上述した実施形態においては、ＬＥＤバー光源２２の各ＬＥＤ２２ｂは、同じ発光色のＬＥＤであるが、これに限らず、互いに異なる複数の発光色のＬＥＤが使用されてもよい。この場合、各ＬＥＤからの光が互いに十分に混合されることにより、単一発光色のＬＥＤでは得られない中間色等の任意の照射光が得られる。従って、パネルの演色性，発色性が向上する。
例えば、白色光のＬＥＤに対して、一部赤色や緑色の発光色のＬＥＤを混在させることによって、パネル１１のバック照明による表示品位やコントラストを向上させることが可能になり、パネル１１の見た目の付加価値が得られる。
【００４３】
さらに、上述した実施形態においては、バック照明装置１０は、例えば遊技機３０の透過型装飾パネル３１をバック照明するように構成されているが、これに限らず、例えば看板，電飾や各種表示板等の透過型装飾パネルを有する各種機器等における透過型装飾パネルをバック照明するために使用されてもよい。
【００４４】
このようにして、本発明によれば、簡単な構成により、輝度ムラを低減し、奥行きを小さくすると共に、ちぢみ印刷を効果的にバック照明するようにした、極めて優れたバック照明装置を提供することができる。
【符号の説明】
【００４５】
１０    バック照明装置
１１    透過型装飾パネル
１２    面照明光源ユニット
１３    筐体
１３ａ  枠部
２１    導光板
２１ａ  反射シート
２２    ＬＥＤバー光源
２２ａ  基板
２２ｂ  ＬＥＤ
２３    ケース
３０    遊技機
３１    透過型装飾パネル
３２    表示部材
【図１】
2011134455.tif 000003
【図２】
2011134455.tif 000004
【図３】
2011134455.tif 000005
【図４】
2011134455.tif 000006
【図５】
2011134455.tif 000007
【図６】
2011134455.tif 000008
【図７】
2011134455.tif 000009
【図８】
2011134455.tif 000010
【図９】
2011134455.tif 000011
【図１０】
2011134455.tif 000012
【図１１】
2011134455.tif 000013
【図１２】
2011134455.tif 000014
【図１３】
2011134455.tif 000015